(57)【特許請求の範囲】
【請求項１】
画像処理装置と無線通信を実行可能な携帯端末であって、
前記携帯端末と前記画像処理装置との間の距離である第１の距離が所定の距離より大きい状態のときに、前記携帯端末が前記画像処理装置に近づくことによって、前記第１の距離が前記所定の距離より小さい状態に変化すると、前記携帯端末と前記画像処理装置との間で、双方向の近距離無線通信の通信セッションを確立する確立部であって、前記第１の距離が前記所定の距離より小さい状態のときに、前記携帯端末が前記画像処理装置から遠ざかることによって、前記第１の距離が前記所定の距離より大きい状態に変化すると、前記通信セッションが切断される、前記確立部と、
第１の通信セッションを用いて、前記画像処理装置から第１種の選択情報を受信する受信部であって、前記第１種の選択情報は、前記画像処理装置に画像処理を実行させるための複数個の第１種の設定項目を示す情報を含む、前記受信部と、
前記第１種の選択情報に従って、前記複数個の第１種の設定項目のうちの少なくとも１個の第１種の設定項目を表わす第１種の選択画面を、前記携帯端末の表示部に表示させる表示制御部と、
前記第１の通信セッションが切断された後に、前記第１の距離が前記所定の距離より大きい状態で、前記第１種の選択画面が表示されている間に、ユーザが前記携帯端末の全体を移動させる第１の動作を実行することによって、前記複数個の第１種の設定項目の中の特定の第１種の設定項目が前記ユーザによって指定され、その後、前記第１の距離が前記所定の距離より小さい状態に変化する場合に、前記複数個の第１種の設定項目の中から指定済みの前記特定の第１種の設定項目を選択する選択部と、
前記第１の通信セッションが切断された後に確立される第２の通信セッションを用いて、選択済みの前記特定の第１種の設定項目を示す第１種の項目データを、前記画像処理装置に送信する送信部と、
を備える携帯端末。
【請求項２】
前記選択部は、前記第１の距離が前記所定の距離より小さい状態に変化して前記第２の通信セッションが確立されることをトリガとして、指定済みの前記特定の第１種の設定項目を選択する、請求項１に記載の携帯端末。
【請求項３】
前記表示制御部は、前記複数個の第１種の設定項目の中でどの設定項目が指定されているのかを前記ユーザが認識可能な表示態様で、前記第１種の選択画面を前記表示部に表示させ、
前記表示制御部は、前記複数個の第１種の設定項目の中で指定されている指定中の設定項目が、前記第１の動作に応じて変化するように、前記第１種の選択画面を前記表示部に表示させる、請求項１又は２に記載の携帯端末。
【請求項４】
前記第１種の選択情報は、前記複数個の第１種の設定項目を示す複数個のテキストデータを含み、
前記表示制御部は、前記複数個のテキストデータを用いて前記第１種の選択画面を生成して、前記第１種の選択画面を前記表示部に表示させる、請求項１から３のいずれか一項に記載の携帯端末。
【請求項５】
前記携帯端末は、さらに、
前記携帯端末の姿勢を検出する姿勢センサを備え、
前記選択部は、前記第１の動作が実行される際に、前記姿勢センサによって検出される前記携帯端末の姿勢に基づいて、前記特定の第１種の設定項目を選択する、請求項１から４のいずれか一項に記載の携帯端末。
【請求項６】
画像処理装置と無線通信を実行可能な携帯端末のためのコンピュータプログラムであって、
前記携帯端末に搭載されるコンピュータに、以下の各処理、即ち、
前記携帯端末と前記画像処理装置との間の距離である第１の距離が所定の距離より大きい状態のときに、前記携帯端末が前記画像処理装置に近づくことによって、前記第１の距離が前記所定の距離より小さい状態に変化すると、前記携帯端末と前記画像処理装置との間で、双方向の近距離無線通信の通信セッションを確立する確立処理であって、前記第１の距離が前記所定の距離より小さい状態のときに、前記携帯端末が前記画像処理装置から遠ざかることによって、前記第１の距離が前記所定の距離より大きい状態に変化すると、前記通信セッションが切断される、前記確立処理と、
第１の通信セッションを用いて、前記画像処理装置から第１種の選択情報を受信する受信処理であって、前記第１種の選択情報は、前記画像処理装置に画像処理を実行させるための複数個の第１種の設定項目を示す情報を含む、前記受信処理と、
前記第１種の選択情報に従って、前記複数個の第１種の設定項目のうちの少なくとも１個の第１種の設定項目を表わす第１種の選択画面を、前記携帯端末の表示部に表示させる表示制御処理と、
前記第１の通信セッションが切断された後に、前記第１の距離が前記所定の距離より大きい状態で、前記第１種の選択画面が表示されている間に、ユーザが前記携帯端末の全体を移動させる第１の動作を実行することによって、前記複数個の第１種の設定項目の中の特定の第１種の設定項目が前記ユーザによって指定され、その後、前記第１の距離が前記所定の距離より小さい状態に変化する場合に、前記複数個の第１種の設定項目の中から指定済みの前記特定の第１種の設定項目を選択する選択処理と、
前記第１の通信セッションが切断された後に確立される第２の通信セッションを用いて、選択済みの前記特定の第１種の設定項目を示す第１種の項目データを、前記画像処理装置に送信する送信処理と、
を実行させる、コンピュータプログラム。
【発明の詳細な説明】
【技術分野】
【０００１】
本明細書によって開示される技術は、画像処理装置と無線通信を実行可能な携帯端末に関する。
【背景技術】
【０００２】
特許文献１には、複数個のキーを備える画像形成装置が開示されている。ユーザは、複数個のキーを操作することによって、画像形成装置が実行すべき処理の種類と、当該処理で利用されるべき設定値と、を指定することができる。
【先行技術文献】
【特許文献】
【０００３】
【特許文献１】特開２００１−２３８０２９号公報
【発明の概要】
【発明が解決しようとする課題】
【０００４】
本明細書では、ユーザが、画像処理を実行させるための設定項目を、携帯端末を用いて容易に指定し得る技術を提供する。
【課題を解決するための手段】
【０００５】
本明細書によって開示される技術は、画像処理装置と無線通信を実行可能な携帯端末である。携帯端末は、受信部と、表示制御部と、選択部と、送信部と、を備える。受信部は、画像処理装置から第１種の選択情報を受信する。第１種の選択情報は、画像処理装置に画像処理を実行させるための複数個の第１種の設定項目を示す情報を含む。表示制御部は、第１種の選択情報に従って、複数個の第１種の設定項目のうちの少なくとも１個の第１種の設定項目を表わす第１種の選択画面を、携帯端末の表示部に表示させる。選択部は、第１種の選択画面が表示されている間に、ユーザが、複数個の第１種の設定項目の中から特定の第１種の設定項目を指定するために実行する第１の動作であって、携帯端末の全体を移動させる第１の動作に基づいて、複数個の第１種の設定項目の中から特定の第１種の設定項目を選択する。送信部は、特定の第１種の設定項目を示す第１種の項目データを、画像処理装置に送信する。
【０００６】
上記の構成によると、ユーザは、携帯端末の全体を移動させることによって、複数個の第１種の設定項目の中から特定の第１種の設定項目を指定することができる。この場合、携帯端末は、ユーザによって指定される特定の第１種の設定項目を選択して、特定の第１種の設定項目を示す第１種の項目データを画像処理装置に送信する。これにより、画像処理装置は、特定の第１種の設定項目に従って、画像処理を実行し得る。この技術によると、ユーザは、画像処理を実行させるための特定の第１種の設定項目を、携帯端末を用いて容易に指定し得る。
【０００７】
携帯端末は、さらに、携帯端末と画像処理装置との間の距離である第１の距離が所定の距離より大きい状態が、携帯端末が画像処理装置に近づくことによって、第１の距離が所定の距離より小さい状態に変化すると、携帯端末と画像処理装置との間で、双方向の近距離無線通信の通信セッションを確立する確立部を備えていてもよい。第１の距離が所定の距離より小さい状態が、携帯端末が画像処理装置から遠ざかることによって、第１の距離が所定の距離より大きい状態に変化すると、通信セッションが切断されてもよい。受信部は、第１の通信セッションを用いて、画像処理装置から第１種の選択情報を受信してもよい。送信部は、第１の通信セッションが切断された後に確立される第２の通信セッションを用いて、第１種の項目データを画像処理装置に送信してもよい。上記の構成によると、ユーザは、第１の通信セッションを用いて第１種の選択情報が受信された後に、携帯端末を画像処理装置から遠ざけた状態（即ち、第１の通信セッションが切断された状態）で、特定の第１種の設定項目を指定し得る。ユーザが、携帯端末を画像処理装置に近づけた状態で、設定項目を指定する必要がある構成と比べると、ユーザは、特定の第１種の設定項目を容易に指定し得る。
【０００８】
選択部は、第１の通信セッションが切断された後に、第２の通信セッションが確立されることをトリガとして、特定の第１種の設定項目を選択してもよい。この構成によると、ユーザが携帯端末を画像処理装置に近づけると、携帯端末は、特定の第１種の設定項目を選択する。ユーザは、特定の第１種の設定項目を携帯端末に選択させるために、携帯端末のキーを操作せずに済む。
【０００９】
受信部は、第１の通信セッションを用いて、画像処理装置から、第１種の選択情報と、第２種の選択情報と、を受信してもよい。第２種の選択情報は、特定の第１種の設定項目に関係する複数個の第２種の設定項目を示す情報を含んでいてもよい。表示制御部は、さらに、第２種の選択情報に従って、複数個の第２種の設定項目のうちの少なくとも１個の第２種の設定項目を表わす第２種の選択画面を、表示部に表示させてもよい。選択部は、さらに、第２種の選択画面が表示されている間に、ユーザが、複数個の第２種の設定項目の中から特定の第２種の設定項目を指定するために実行する第２の動作であって、携帯端末の全体を移動させる第２の動作に基づいて、複数個の第２種の設定項目の中から特定の第２種の設定項目を選択してもよい。送信部は、さらに、第２の通信セッションを用いて、第１種の項目データと、特定の第２種の設定項目を示す第２種の項目データと、を画像処理装置に送信してもよい。上記の構成によると、ユーザは、画像処理を実行させるための特定の第２種の設定項目を、携帯端末を用いて容易に指定し得る。そして、携帯端末は、第２の通信セッションを用いて、第１種及び第２種の項目データを、画像処理装置に送信する。従って、画像処理装置は、第２の通信セッションを用いて受信される第１種及び第２種の項目データに従って、画像処理を適切に実行し得る。
【００１０】
選択部は、第１種の選択画面が表示部に表示されている状態で、ユーザによって携帯端末の所定のボタンが操作されることをトリガとして、特定の第１種の設定項目を選択し、第２種の選択画面が表示部に表示されている状態で、ユーザによって携帯端末の所定のボタンが操作されることをトリガとして、特定の第２種の設定項目を選択してもよい。この構成によると、携帯端末は、ユーザによって所定のボタンが操作された際に、設定項目を適切に選択し得る。
【００１１】
表示制御部は、複数個の第１種の設定項目の中でどの設定項目が指定されているのかをユーザが認識可能な表示態様で、第１種の選択画面を表示部に表示させてもよい。また、表示制御部は、複数個の第１種の設定項目の中で指定されている指定中の設定項目が、第１の動作に応じて変化するように、第１種の選択画面を表示部に表示させてもよい。この構成によると、ユーザは、指定中の設定項目を容易に把握し得る。
【００１２】
第１種の選択情報は、複数個の第１種の設定項目を示す複数個のテキストデータを含んでいてもよい。表示制御部は、複数個のテキストデータを用いて第１種の選択画面を生成して、第１種の選択画面を表示部に表示させてもよい。この構成によると、第１種の選択情報が、複数個の第１種の設定項目を示す画像データを含む構成と比べて、第１種の選択情報のデータ量を低減させ得る。従って、携帯端末と画像処理装置との間の通信データ量を低減させ得る。
【００１３】
携帯端末は、さらに、携帯端末の姿勢を検出する姿勢センサを備えていてもよい。選択部は、第１の動作が実行される際に、姿勢センサによって検出される携帯端末の姿勢に基づいて、特定の第１種の設定項目を選択してもよい。この構成によると、携帯端末は、第１の動作が実行される際に、特定の第１種の設定項目を適切に選択し得る。
【００１４】
なお、上記の携帯端末を実現するための制御方法、コンピュータプログラム、及び、当該コンピュータプログラムを格納するコンピュータ読取可能記録媒体も、新規で有用である。
【図面の簡単な説明】
【００１５】
【図１】通信システムの構成を示す。
【図２】携帯端末を傾ける様子を示す。
【図３】設定項目の階層関係を示す。
【図４】第１実施例の携帯端末処理のフローチャートを示す。
【図５】第１実施例の多機能装置処理のフローチャートを示す。
【図６】第１実施例のシーケンス図を示す。
【図７】図６の続きのシーケンス図を示す。
【図８】第２実施例の携帯端末処理のフローチャートを示す。
【図９】第２実施例の多機能装置処理のフローチャートを示す。
【図１０】第２実施例のシーケンス図を示す。
【図１１】第３実施例の携帯端末処理のフローチャートを示す。
【図１２】第３実施例の多機能装置処理のフローチャートを示す。
【図１３】第３実施例のシーケンス図を示す。
【発明を実施するための形態】
【００１６】
（第１実施例）
（システムの構成）
図１に示されるように、通信システム２は、携帯端末１０と多機能装置５０とを備える。携帯端末１０と多機能装置５０とは、近距離無線通信を用いて双方向の通信が可能である。本実施例の近距離無線通信は、ＮＦＣ（Ｎｅａｒ  Ｆｉｅｌｄ  Ｃｏｍｍｕｎｉｃａｔｉｏｎ）である。
【００１７】
（携帯端末１０の構成）
携帯端末１０は、表示部１２と、操作部１４と、無線インターフェース１６（以下では「無線Ｉ／Ｆ１６」と呼ぶ）と、姿勢センサ１８と、制御部３０と、を備える。上記の各部１２〜３０は、バス線（符号省略）に接続されている。表示部１２は、様々な情報を表示するためのディスプレイである。操作部１４は、複数のキーによって構成される。無線Ｉ／Ｆ１６は、後述する多機能装置５０の無線Ｉ／Ｆ５２との間でＮＦＣ通信を実行するためのインターフェースである。姿勢センサ１８は、ユーザが携帯端末１０を傾ける際の姿勢（より具体的には回転角度）を検出して、当該姿勢を示す信号を制御部３０に出力する。姿勢センサ１８は、例えば、ジャイロセンサである。
【００１８】
制御部３０は、ＣＰＵ３２とメモリ３４とを備える。ＣＰＵ３２は、メモリ３４に格納されているプログラムに従って、様々な処理を実行する。メモリ３４は、ＲＯＭ、ＲＡＭ等によって構成される。メモリ３４は、ＣＰＵ３２によって実行される上記のプログラムを格納したり、ＣＰＵ３２が処理を実行する過程で取得又は生成されるデータを格納したりする。メモリ３４は、多機能装置５０のためのアプリケーション３６を格納する。アプリケーション３６は、携帯端末１０の外部（例えば多機能装置５０のベンダが提供するサーバ）からインストールされたものでもよいし、携帯端末１０の出荷時からメモリ３４に格納されているものでもよい。ＣＰＵ３２が上記のアプリケーション３６に従って処理を実行することによって、端末側受信部４０、表示制御部４２、選択部４４、端末側送信部４６、及び、端末側確立部４８の各機能が実現される。
【００１９】
（携帯端末１０の表示動作の概要；図２）
図２に示されるように、携帯端末１０の片側の面に、表示部１２と操作部１４とが配置されている。ユーザは、携帯端末１０を傾けることによって、表示部１２の表示画面の内容を変化させることができる。図２の例では、後述の選択画面（プリント機能、コピー機能、及び、スキャン機能のうちの１個の機能を選択するための画面）が、表示部１２に表示されている。図２の中央の図では、携帯端末１０が左右に傾いておらず、矢印によってプリント機能が指定されている。
【００２０】
プリント機能が指定されている状態から、ユーザが、携帯端末１０の全体を移動させて、携帯端末１０を右又は左に傾けると、姿勢センサ１８から制御部３０に出力される信号が変化する。これにより、表示制御部３２は、携帯端末１０が右又は左に傾いたことを知ることができる。その結果、表示制御部３２は、矢印によってスキャン機能又はコピー機能が指定されるように、選択画面の表示内容を変化させる（図２の右側又は左側の図参照）。このように、本実施例では、ユーザは、携帯端末１０の全体を移動させることによって、所望の設定項目を容易に指定することができる。
【００２１】
（多機能装置５０の構成）
多機能装置５０は、プリント機能、スキャン機能、コピー機能等を含む多機能を実行可能である。多機能装置５０は、無線Ｉ／Ｆ５２と、表示部５４と、操作部５６と、印刷実行部５８と、スキャン実行部６０と、制御部７０と、を備える。上記の各部５２〜７０は、バス線（符号省略）に接続されている。無線Ｉ／Ｆ５２は、上述の無線Ｉ／Ｆ１６との間でＮＦＣ通信を実行するためのインターフェースである。表示部５４は、様々な情報を表示するためのディスプレイである。操作部５６は、複数のキーによって構成される。印刷実行部５８は、インクジェット方式、レーザ方式等の印刷機構を備え、制御部７０からの指示に従って印刷を実行する。スキャン実行部６０は、ＣＣＤ、ＣＩＳ等のスキャン機構を備え、制御部７０からの指示に従ってスキャンを実行する。
【００２２】
制御部７０は、ＣＰＵ７２とメモリ７４とを備える。ＣＰＵ７２は、メモリ７４に格納されているプログラムに従って、様々な処理を実行する。メモリ７４は、ＲＯＭ、ＲＡＭ、ハードディスク等によって構成される。メモリ７４は、ＣＰＵ７２によって実行される上記のプログラムを格納したり、ＣＰＵ７２が処理を実行する過程で取得又は生成されるデータを格納したりする。ＣＰＵ７２が上記のプログラムに従って処理を実行することによって、装置側確立部８０、装置側送信部８２、装置側受信部８４、処理実行部８６、記憶制御部８８の各機能が実現される。
【００２３】
（設定項目の階層関係；図３）
多機能装置５０のメモリ７４は、携帯端末１０に様々な設定項目を選択させるための様々な選択情報を記憶している。具体的に言うと、図３に示されるように、メモリ７４は、機能選択情報と、色数選択情報と、第１の下位層選択情報と、第２の下位層選択情報と、を記憶している。
【００２４】
機能選択情報は、「Ｐｒｉｎｔ」と「Ｃｏｐｙ」と「Ｓｃａｎ」とを示す３個のテキストデータを含む。
【００２５】
色数選択情報は、機能選択情報の下位層の情報である。色数選択情報は、「Ｐｒｉｎｔ」、「Ｃｏｐｙ」、及び、「Ｓｃａｎ」のそれぞれの下位層の情報として、「Ａｕｔｏ」と「Ｃｏｌｏｒ」と「Ｍｏｎｏ」とを示す３個のテキストデータを含む。「Ｐｒｉｎｔ」に対応する色数選択情報の「Ｃｏｌｏｒ」及び「Ｍｏｎｏ」は、それぞれ、カラープリント機能及びモノクロプリント機能に対応する。なお、「Ｐｒｉｎｔ」に対応する色数選択情報の「Ａｕｔｏ」は、印刷対象のデータに従って、色数（カラー、モノクロ）を自動的に検出し、検出済みの色数に従って、印刷を実行する自動色数プリント機能に対応する。同様に、「Ｃｏｐｙ」に対応する色数選択情報は、自動色数コピー機能、カラーコピー機能、及び、モノクロコピー機能に対応する。また、「Ｓｃａｎ」に対応する色数選択情報は、自動色数スキャン機能、カラースキャン機能、及び、モノクロスキャン機能に対応する。
【００２６】
第１の下位層選択情報は、色数選択情報の下位層の情報である。第１の下位層選択情報は、「Ｐｒｉｎｔ」及び「Ｃｏｐｙ」に対応する色数選択情報（「Ａｕｔｏ」、「Ｃｏｌｏｒ」、「Ｍｏｎｏ」）のそれぞれの下位層の情報として、「Ｌａｙｏｕｔ」と「Ｑｕａｌｉｔｙ」と「Ｃｏｐｉｅｓ」と「Ｓｔａｒｔ」とを示す４個のテキストデータを含む。「Ｌａｙｏｕｔ」は、印刷のレイアウトに対応する。「Ｑｕａｌｉｔｙ」は、印刷の画質に対応する。「Ｃｏｐｉｅｓ」は、印刷の部数に対応する。「Ｓｔａｒｔ」は、印刷の開始のトリガに対応する。
【００２７】
第１の下位層選択情報は、さらに、「Ｓｃａｎ」に対応する色数選択情報（「Ａｕｔｏ」、「Ｃｏｌｏｒ」、「Ｍｏｎｏ」）のそれぞれの下位層の情報として、「Ｒｅｓｏｌｕｔｉｏｎ」と「Ｓｔａｒｔ」とを示す２個のテキストデータを含む。「Ｒｅｓｏｌｕｔｉｏｎ」は、スキャンの解像度に対応する。「Ｓｔａｒｔ」は、スキャンの開始のトリガに対応する。
【００２８】
第２の下位層選択情報は、第１の下位層選択情報の下位層の情報である。第２の下位層選択情報は、「Ｌａｙｏｕｔ」の下位層の情報として、「Ｐｏｒｔｒａｉｔ  １ｉｎ１」、「Ｌａｎｄｓｃａｐｅ  ２ｉｎ１」等を示す４個のテキストデータを含む。例えば、「Ｐｏｒｔｒａｉｔ  １ｉｎ１」は、１枚の印刷用紙への１ページ分の画像のポートレート印刷に対応する。また、例えば、「Ｌａｎｄｓｃａｐｅ  ２ｉｎ１」は、１枚の印刷用紙への２ページ分の画像のランドスケープ印刷に対応する。
【００２９】
第２の下位層選択情報は、さらに、「Ｑｕａｌｉｔｙ」の下位層の情報として、「Ｎｏｒｍａｌ」及び「Ｆｉｎｅ」を示す２個のテキストデータを含む。「Ｎｏｒｍａｌ」は、通常の画質に対応する。「Ｆｉｎｅ」は、通常の画質より高画質に対応する。第２の下位層選択情報は、さらに、「Ｃｏｐｉｅｓ」の下位層の情報として、「１」、「２」等の部数の値を示す複数個のテキストデータを含む。第２の下位層選択情報は、さらに、「Ｒｅｓｏｌｕｔｉｏｎ」の下位層の情報として、「１００ｄｐｉ」、「２００ｄｐｉ」等のスキャン解像度の値を示す複数個のテキストデータを含む。なお、「Ｓｔａｒｔ」の下位層の情報は存在しない。
【００３０】
上述したように、本実施例では、各選択情報は、複数個の設定項目を示す複数個のテキストデータによって構成されている。従って、各選択情報が、複数個の設定項目を示す画像データを含む構成と比べて、各選択情報のデータ量を低減させ得る。このために、携帯端末１０と多機能装置５０との間の通信データ量を低減させ得る。この結果、例えば、携帯端末１０と多機能装置５０との間の通信時間を短縮させることができる。
【００３１】
（携帯端末処理；図４）
続いて、携帯端末１０が実行する携帯端末処理について説明する。携帯端末処理は、ユーザが操作部１４を操作して、メモリ３４に格納されているアプリケーション３６を起動することによって開始される。
【００３２】
Ｓ１０において、端末側確立部４８は、携帯端末１０と多機能装置５０との間にＮＦＣ通信セッションが確立されることを監視している。ＮＦＣ通信は、１３．５６ＭＨｚ帯の電波を利用した近距離無線通信である。携帯端末１０のユーザが、携帯端末１０を多機能装置５０に近づけることによって、携帯端末１０と多機能装置５０との間の距離が、互いに電波が届く距離（例えば１０ｃｍ）より小さくなると、端末側確立部４８は、ＮＦＣ通信セッションを確立する。なお、ＮＦＣ通信セッションの確立の具体的な手法については、特開２００４−３６４１４５号等に記載されている。
【００３３】
ＮＦＣ通信セッションが確立されると、端末側確立部４８は、Ｓ１０でＹＥＳと判断して、Ｓ１２に進む。Ｓ１２では、端末側送信部４６は、Ｓ１０で確立されたＮＦＣ通信セッションを用いて、機能選択情報（図３参照）を要求するための情報を多機能装置５０に送信する。
【００３４】
続いて、Ｓ１４では、端末側受信部４０は、Ｓ１０で確立されたＮＦＣ通信セッションを用いて、多機能装置５０から機能選択情報を受信する。機能選択情報を受信すると、Ｓ１５において、制御部３０は、携帯端末１０を鳴動させる。これにより、ユーザに受信（ここでは機能選択情報の受信）が終了した旨が報知される。Ｓ１５の報知により、ユーザは、携帯端末１０を多機能装置５０から遠ざけてよいことを知り、携帯端末１０を多機能装置５０から遠ざける。これにより、携帯端末１０と多機能装置５０との間の距離が、互いに電波が届く距離より大きくなると、Ｓ１０で確立されたＮＦＣ通信セッションが切断される。
【００３５】
次に、Ｓ１６では、表示制御部４２は、Ｓ１４で受信された機能選択情報に含まれる３個のテキストデータ（即ち、「Ｐｒｉｎｔ」、「Ｃｏｐｙ」、「Ｓｃａｎ」）を用いて、選択画面を生成する。具体的に言うと、アプリケーション３６は、選択画面を生成するためのテンプレートデータ（図２の扇形を表わすデータ）を含む。表示制御部４２は、扇形を３分割して得られる３個の領域に各テキスト（「Ｐｒｉｎｔ」等）を書き込むと共に、「Ｐｒｉｎｔ」を向くように矢印を書き込む。これにより、図２の中央の図に示される選択画面（即ち、３個の設定項目を示す選択画面）が得られる。次いで、表示制御部４２は、生成済みの選択画面を、表示部１２に表示させる。
【００３６】
ユーザは、設定項目を指定することを望む場合に、携帯端末１０の全体を移動させて、携帯端末１０を傾ける。この場合、姿勢センサ１８は、携帯端末１０の姿勢の変化を検出して、制御部３０に出力する。この場合、表示制御部４２は、Ｓ１８でＹＥＳと判断して、Ｓ１６に戻る。このＳ１６では、表示制御部４２は、姿勢センサ１８の出力に応じて、矢印の向きが変えられた新たな選択画面（例えば、「Ｃｏｐｙ」を向く矢印を含む選択画面）を生成して、表示部１２に新たな選択画面を表示させる。この構成によると、ユーザは、指定中の設定項目を容易に把握することができる。なお、変形例では、表示制御部４２は、指定中の設定項目の色と、他の設定項目の色と、を変えてもよいし、指定中の設定項目のサイズと、他の設定項目のサイズと、を変えてもよい。即ち、表示制御部４２は、指定中の設定項目をユーザが認識可能な表示態様で、選択画面を表示部１２に表示させればよい。
【００３７】
ユーザは、所望の設定項目（例えば、「Ｃｏｐｙ」）が指定された状態で、携帯端末１０を多機能装置５０に近づける。Ｓ１０で説明したように、携帯端末１０と多機能装置５０との間の距離が、互いに電波が届く距離より小さくなると、端末側確立部４８は、ＮＦＣ通信セッションを確立する。端末側確立部４８は、ＮＦＣ通信セッションが確立されると、Ｓ２０でＹＥＳと判断する。この場合、Ｓ２２に進む。
【００３８】
Ｓ２２では、選択部４４は、選択画面内で矢印が示す設定項目（即ち、ユーザによって指定された設定項目）を選択する。このように、選択部４４は、携帯端末１０の全体を移動させる動作が実行される際に、姿勢センサ１８によって検出される携帯端末１０の姿勢に基づいて、ユーザによって指定される設定項目を適切に選択することができる。特に、本実施例では、選択部４４は、ユーザによって操作部１４が操作されなくても、ＮＦＣ通信セッションが確立されたことをトリガとして、ユーザによって指定された設定項目を自動的に選択することができる。
【００３９】
続いて、Ｓ２４では、端末側送信部４６は、Ｓ２０で確立されたＮＦＣ通信セッションを用いて、携帯端末１０のＭＡＣアドレスと、Ｓ２２で選択された設定項目（例えば、「Ｃｏｐｙ」）を示す項目データと、を多機能装置５０に送信する。なお、以下では、携帯端末１０のＭＡＣアドレスのことを「Ｍ１０」と記載する。
【００４０】
Ｓ２６では、選択部４４は、Ｓ２２で選択された設定項目が、第１の下位層選択情報に含まれる「Ｓｔａｒｔ」であるか否かを判断する。Ｓ２２で選択された設定項目が「Ｓｔａｒｔ」でない場合（Ｓ２６のＮＯ）には、Ｓ２８に進む。
【００４１】
Ｓ２８では、端末側受信部４０は、Ｓ２０で確立されたＮＦＣ通信セッションを用いて、多機能装置５０から選択情報を受信する。端末側受信部４０は、通常、多機能装置５０から前回に受信された選択情報の下位層の選択情報を受信する。例えば、図３を参照すると、多機能装置５０から前回に受信された選択情報が機能選択情報であれば、Ｓ２８において、端末側受信部４０は、色数選択情報を受信する。なお、多機能装置５０から前回に受信された選択情報が第２の下位層選択情報であれば、それより下位層の選択情報が存在しないために、Ｓ２８において、端末側受信部４０は、第１の下位層選択情報を受信する。
【００４２】
Ｓ２８を終えると、Ｓ１５において、制御部３０は、携帯端末１０を鳴動させる。これにより、ユーザに受信（ここでは前回に受信された選択情報の下位層の選択情報の受信）が終了した旨が報知される。Ｓ１５の報知により、ユーザは、携帯端末１０を多機能装置５０から遠ざけてよいことを知り、携帯端末１０を多機能装置５０から遠ざける。これにより、Ｓ２０で確立されたＮＦＣ通信セッションが切断される。
【００４３】
続いて実行されるＳ１６では、表示制御部４２は、Ｓ２８で受信された選択情報を用いて、新たな選択画面（例えば、「Ａｕｔｏ」、「Ｃｏｌｏｒ」、「Ｍｏｎｏ」を示す選択画面）を生成して、表示部１２に新たな選択画面を表示させる。その後の処理（Ｓ１８以降の処理）は、上記と同様である。なお、Ｓ２６でＹＥＳの場合には、携帯端末処理が終了する。
【００４４】
（多機能装置処理；図５）
続いて、多機能装置５０が実行する多機能装置処理について説明する。Ｓ４０では、装置側確立部８０は、ＮＦＣ通信セッションが確立されることを監視している。ＮＦＣ通信セッションが確立される場合（Ｓ４０でＹＥＳ）には、Ｓ４２に進む。
【００４５】
Ｓ４２では、装置側受信部８４は、Ｓ４０で確立されたＮＦＣ通信セッションを用いて、携帯端末１０から機能選択情報を要求するための情報を受信したのか否かを判断する（図４のＳ１２参照）。装置側受信部８４は、当該情報を受信した場合には、Ｓ４２でＹＥＳと判断して、Ｓ４４に進み、当該情報を受信しなかった場合には、Ｓ４２でＮＯと判断して、Ｓ４６に進む。
【００４６】
Ｓ４４では、装置側送信部８２は、Ｓ４０で確立されたＮＦＣ通信セッションを用いて、機能選択情報を携帯端末１０に送信して、Ｓ４０に戻る。なお、フローチャートには示していないが、Ｓ４４で機能選択情報が送信されると、Ｓ４０で確立されたＮＦＣ通信セッションが切断される。
【００４７】
Ｓ４６では、装置側受信部８４は、Ｓ４０で確立されたＮＦＣ通信セッションを用いて、携帯端末１０から、携帯端末１０のＭＡＣアドレス「Ｍ１０」と、項目データと、を受信したのか否かを判断する（図４のＳ２４参照）。装置側受信部８４は、ＭＡＣアドレス「Ｍ１０」と項目データとを受信した場合には、Ｓ４６でＹＥＳと判断して、Ｓ４８に進み、ＭＡＣアドレス「Ｍ１０」と項目データとを受信しなかった場合には、Ｓ４６でＮＯと判断して、Ｓ４２に進む。
【００４８】
Ｓ４８では、装置側受信部８４は、Ｓ４６で受信された項目データが示す設定項目が「Ｓｔａｒｔ」であるのか否かを判断する。装置側受信部８４は、設定項目が「Ｓｔａｒｔ」でない場合には、Ｓ４８でＮＯと判断して、Ｓ５０に進み、設定項目が「Ｓｔａｒｔ」である場合には、Ｓ４８でＹＥＳと判断して、Ｓ５４に進む。
【００４９】
Ｓ５０では、記憶制御部８８は、Ｓ４６で受信されたＭＡＣアドレス「Ｍ１０」と項目データとを対応付けて、メモリ７４に記憶させる。なお、２回目以降のＳ５０の処理が実行される段階では、「Ｍ１０」と項目データとがメモリ７４に既に記憶されている。従って、２回目以降のＳ５０の処理では、記憶制御部８８は、メモリ７４に既に記憶されている「Ｍ１０」と項目データとにさらに対応付けて、Ｓ４６で新たに受信された項目データをメモリ７４に記憶させる。
【００５０】
次いで、Ｓ５２では、装置側送信部８２は、Ｓ４０で確立されたＮＦＣ通信セッションを用いて、Ｓ４６で受信された項目データが示す設定項目の下位層の選択情報を携帯端末１０に送信する。例えば、Ｓ４６で受信された項目データが「Ｃｏｐｙ」を示す場合には、Ｓ５２において、装置側送信部８２は、色数選択情報を携帯端末１０に送信する。その後、Ｓ４６で受信された項目データが「Ｍｏｎｏ」を示す場合には、Ｓ５２において、装置側送信部８２は、「Ｌａｙｏｕｔ」等を含む第１の下位層選択情報を携帯端末１０に送信する。その後、Ｓ４６で受信された項目データが「Ｃｏｐｉｅｓ」を示す場合には、Ｓ５２において、装置側送信部８２は、部数を示す「１」、「２」等を含む第２の下位層選択情報を携帯端末１０に送信する。その後、Ｓ４６で受信された項目データが「３」を示す場合には、それより下位層の選択情報が存在しないために、Ｓ５２において、装置側送信部８２は、「Ｌａｙｏｕｔ」等を含む第１の下位層選択情報を携帯端末１０に再び送信する。Ｓ５２を終えると、Ｓ４０に進む。
【００５１】
Ｓ５４では、処理実行部８６は、メモリ７４から、Ｓ４６で受信されたＭＡＣアドレス「Ｍ１０」に対応付けられている各項目データを読み込む。次いで、処理実行部８６は、読み込み済みの各項目データに従って、画像処理を実行する。
【００５２】
例えば、「Ｃｏｐｙ」及び「Ｍｏｎｏ」がメモリ７４に記憶されている状況を想定する。ただし、本例では、レイアウト、画質、及び、部数を示す項目データがメモリ７４に記憶されていない。このようにメモリ７４に記憶されていない設定項目が存在する場合には、処理実行部８６は、多機能装置５０に予め設定されているデフォルトの設定項目（例えば、「Ｌａｙｏｕｔ＝Ｐｏｒｔｒａｉｔ  １ｉｎ１」、「Ｑｕａｌｉｔｙ＝Ｎｏｒｍａｌ」、「Ｃｏｐｉｅｓ＝１」）を利用する。本例では、処理実行部８６は、通常の画質（即ち通常のスキャン解像度）で、原稿のモノクロスキャンをスキャン実行部６０に実行させるための第１の画像処理（例えば、スキャン実行部６０へのスキャンの指示）を実行する。次いで、処理実行部８６は、上記のモノクロスキャンによって得られたスキャンデータから、１ｉｎ１のポートレート印刷のための印刷データを生成する第２の画像処理（例えば、ハーフトーン処理等）を実行する。次いで、処理実行部８６は、印刷データに従った印刷を、印刷実行部５８に実行させるための第３の画像処理（例えば、印刷実行部５８への印刷データの供給）を実行する。これにより、モノクロコピー機能が実現される。
【００５３】
また、例えば、「Ｐｒｉｎｔ」及び「Ｃｏｌｏｒ」がメモリ７４に記憶されている状況を想定する。この場合、処理実行部８６は、ユーザによって指定される印刷対象のデータ（例えば、多機能装置５０に接続されたＵＳＢメモリ等の外部記憶装置から取得されるデータ）から、通常の印刷解像度の１ｉｎ１のポートレート印刷のための印刷データを生成する第１の画像処理（例えば、通常の印刷解像度への解像度変換処理、ＲＧＢ→ＣＭＹＫ色変換、ハーフトーン処理等）を実行する。次いで、処理実行部８６は、印刷データに従った印刷を、印刷実行部５８に実行させるための第２の画像処理（例えば、印刷実行部５８への印刷データの供給）を実行する。これにより、カラープリント機能が実現される。なお、本例において、例えば、「Ｆｉｎｅ」がメモリ７４にさらに記憶されている状況では、処理実行部８６は、上記の第１の画像処理において、上記の通常の印刷解像度よりも高い印刷解像度への解像度変換処理を実行する。また、本例において、例えば、「Ｌａｎｄｓｃａｐｅ  ２ｉｎ１」がメモリ７４にさらに記憶されている状況では、処理実行部８６は、上記の第１の画像処理において、２ｉｎ１のランドスケープ印刷のための印刷データを生成する。
【００５４】
上述したように、Ｓ５４では、処理実行部８６は、Ｓ４６で受信された各項目データが示す各設定項目（即ち、携帯端末１０のユーザによって指定された各設定項目）に従って、画像処理を実行する。Ｓ５４を終えると、多機能装置処理が終了する。
【００５５】
（第１実施例の具体例；図６及び図７）
続いて、第１実施例の具体例を説明する。ユーザが携帯端末１０を多機能装置５０に近づけることによって、ＮＦＣ通信セッションＳ１が確立される（図４のＳ１０でＹＥＳ、図５のＳ４０でＹＥＳ）。この場合、多機能装置５０は、ＮＦＣ通信セッションＳ１を用いて、機能選択情報（「Ｐｒｉｎｔ」等）を送信する（図５のＳ４４）。これにより、携帯端末１０は、ＮＦＣ通信セッションＳ１を用いて、機能選択情報を受信する（図４のＳ１４）。
【００５６】
ユーザが携帯端末１０を多機能装置５０から遠ざけることによって、ＮＦＣ通信セッションＳ１が切断される。携帯端末１０は、機能選択情報に含まれる複数個の設定項目を含む選択画面を、表示部１２に表示させる（図４のＳ１６）。ユーザが携帯端末１０の姿勢を変化させると、携帯端末１０は、矢印の向きが変わった新たな選択画面を、表示部１２に表示させる（図４のＳ１８でＹＥＳの場合に実行されるＳ１６）。
【００５７】
例えば、「Ｃｏｐｙ」が指定された状態で、ユーザが携帯端末１０を多機能装置５０に近づけると、ＮＦＣ通信セッションＳ２が確立される（図４のＳ２０でＹＥＳ、図５のＳ４０でＹＥＳ）。携帯端末１０は、ＮＦＣ通信セッションＳ２が確立されたことをトリガとして、「Ｃｏｐｙ」を選択する（図４のＳ２２）。次いで、携帯端末１０は、ＮＦＣ通信セッションＳ２を用いて、携帯端末１０のＭＡＣアドレス「Ｍ１０」と、「Ｃｏｐｙ」を示す項目データと、を多機能装置５０に送信する（図４のＳ２４）。多機能装置５０は、ＮＦＣ通信セッションＳ２を用いて、携帯端末１０から、「Ｍ１０」と、「Ｃｏｐｙ」を示す項目データと、を受信する（図５のＳ４６でＹＥＳ）。多機能装置５０は、「Ｍ１０」と「Ｃｏｐｙ」を示す項目データとを対応付けて、メモリ７４に記憶させる（図５のＳ５０）。
【００５８】
次に、多機能装置５０は、ＮＦＣ通信セッションＳ２を用いて、色数選択情報（「Ａｕｔｏ」等）を携帯端末１０に送信する（図５のＳ５２）。携帯端末１０は、ＮＦＣ通信セッションＳ２を用いて、色数選択情報を受信する（図４のＳ２８）。ユーザが携帯端末１０を多機能装置５０から遠ざけることによって、ＮＦＣ通信セッションＳ２が切断される。携帯端末１０は、色数選択情報に含まれる複数個の設定項目を含む選択画面を、表示部１２に表示させる（図４のＳ１６）。
【００５９】
例えば、「Ｍｏｎｏ」が指定された状態で、ユーザが携帯端末１０を多機能装置５０に近づけると、ＮＦＣ通信セッションＳ３が確立される（図４のＳ２０でＹＥＳ、図５のＳ４０でＹＥＳ）。携帯端末１０は、ＮＦＣ通信セッションＳ３が確立されたことをトリガとして、「Ｍｏｎｏ」を選択する（図４のＳ２２）。次いで、携帯端末１０は、ＮＦＣ通信セッションＳ３を用いて、「Ｍ１０」と、「Ｍｏｎｏ」を示す項目データと、を多機能装置５０に送信する（図４のＳ２４）。多機能装置５０は、ＮＦＣ通信セッションＳ３を用いて、携帯端末１０から、「Ｍ１０」と、「Ｍｏｎｏ」を示す項目データと、を受信する（図５のＳ４６でＹＥＳ）。多機能装置５０は、既に記憶されている「Ｍ１０」と「Ｃｏｐｙ」を示す項目データとにさらに対応付けて、「Ｍｏｎｏ」を示す項目データを、メモリ７４に記憶させる（図５のＳ５０）。
【００６０】
次いで、図７に示されるように、多機能装置５０は、ＮＦＣ通信セッションＳ３を用いて、「Ｃｏｐｙ」及び「Ｍｏｎｏ」に対応する第１の下位層選択情報（「Ｌａｙｏｕｔ」等）と、設定情報と、を携帯端末１０に送信する（図５のＳ５２）。図４及び図５のフローチャートでは設定情報について説明しなかったが、設定情報は、第２の下位層選択情報に含まれる複数個の設定項目の中のうち、予め決められているデフォルトの各設定項目を示す情報である。携帯端末１０は、ＮＦＣ通信セッションＳ３を用いて、第１の下位層選択情報と設定情報とを受信する（図４のＳ２８）。その後、ＮＦＣ通信セッションＳ３が切断される。携帯端末１０は、第１の下位層選択情報に含まれる複数個の設定項目を含む選択画面を、表示部１２に表示させる（図４のＳ１６）。ここで、携帯端末１０（即ち表示制御部４２）は、さらに、設定情報によって示される各設定項目（「Ｐｏｒｔｒａｉｔ  １ｉｎ１」等）も選択画面上に表示させる。これにより、ユーザは、「Ｓｔａｒｔ」を指定すれば、多機能装置５０が、設定情報によって示される各設定項目に従って、画像処理を実行することを知ることができる。
【００６１】
例えば、「Ｃｏｐｉｅｓ」が指定された状態で、ユーザが携帯端末１０を多機能装置５０に近づけると、ＮＦＣ通信セッションＳ４が確立される（図４のＳ２０でＹＥＳ、図５のＳ４０でＹＥＳ）。上記と同様に、携帯端末１０は、「Ｃｏｐｉｅｓ」を選択して（図４のＳ２２）、「Ｍ１０」と「Ｃｏｐｉｅｓ」を示す項目データとを多機能装置５０に送信する（図４のＳ２４）。また、多機能装置５０は、「Ｃｏｐｉｅｓ」を示す項目データを、メモリ７４に記憶させる（図５のＳ５０）。
【００６２】
多機能装置５０は、ＮＦＣ通信セッションＳ４を用いて、「Ｃｏｐｉｅｓ」に対応する第２の下位層選択情報（「１」、「２」等）を、携帯端末１０に送信する（図５のＳ５２）。その後、ＮＦＣ通信セッションＳ４が切断される。携帯端末１０は、第２の下位層選択情報に含まれる複数個の設定項目を含む選択画面を、表示部１２に表示させる（図４のＳ１６）。
【００６３】
例えば、「３」が指定された状態で、ユーザが携帯端末１０を多機能装置５０に近づけると、ＮＦＣ通信セッションＳ５が確立される（図４のＳ２０でＹＥＳ、図５のＳ４０でＹＥＳ）。上記と同様に、携帯端末１０は、「３」を選択して（図４のＳ２２）、「Ｍ１０」と「３」を示す項目データとを多機能装置５０に送信する（図４のＳ２４）。また、多機能装置５０は、「３」を示す項目データを、メモリ７４に記憶させる（図５のＳ５０）。
【００６４】
多機能装置５０は、ＮＦＣ通信セッションＳ５を用いて、第１の下位層選択情報（「Ｌａｙｏｕｔ」等）と、設定情報と、携帯端末１０に送信する（図５のＳ５２）。ここで送信される設定情報では、デフォルトの部数を示す「１」が、携帯端末１０から受信された項目データが示す「３」に変更されている。その後、ＮＦＣ通信セッションＳ５が切断される。上記と同様に、携帯端末１０は、選択画面を表示部１２に表示させる（図４のＳ１６）。なお、設定情報によって示される部数が「３」に変更されたために、選択画面上でも「３」が表示される。
【００６５】
例えば、「Ｓｔａｒｔ」が指定された状態で、ユーザが携帯端末１０を多機能装置５０に近づけると、ＮＦＣ通信セッションＳ６が確立される（図４のＳ２０でＹＥＳ、図５のＳ４０でＹＥＳ）。上記と同様に、携帯端末１０は、「Ｓｔａｒｔ」を選択して（図４のＳ２２）、「Ｍ１０」と「Ｓｔａｒｔ」を示す項目データとを多機能装置５０に送信する（図４のＳ２４）。この場合、多機能装置５０は、メモリ７４内の「Ｍ１０」に対応付けられている全ての項目データ（即ち、「Ｃｏｐｙ」、「Ｍｏｎｏ」、「Ｃｏｐｉｅｓ」、「３」）に従って（それ以外はデフォルトの設定項目に従って）、画像処理を実行する（図５のＳ５４）。
【００６６】
（本実施例の効果）
本実施例によると、ユーザは、携帯端末１０を用いて、多機能装置５０で画像処理を実行させるための設定項目を指定して、項目データを多機能装置５０に送信することができる。従って、設定項目を指定するためのキーを多機能装置５０に設けずに済む。この結果、多機能装置５０のキーの数を低減させながらも、多機能装置５０に、項目データが示す設定項目に従って、画像処理を適切に実行させることができる。
【００６７】
また、図６及び図７に示されるように、ユーザは、携帯端末１０の操作部１４を操作しなくても、携帯端末１０の全体を移動させることによって、複数個の設定項目の中から１個の設定項目を指定することができる。さらに、携帯端末１０は、ユーザによって携帯端末１０の操作部１４が操作されなくても、ＮＦＣ通信セッションが確立されることをトリガとして、ユーザによって指定される１個の設定項目を自動的に選択して、当該１個の設定項目を示す項目データを多機能装置５０に送信する。これにより、ユーザは、キー操作等の煩雑な操作をすることなく、多機能装置５０で画像処理を実行させるための設定項目を、携帯端末１０を用いて容易に指定することができる。
【００６８】
また、ユーザは、例えば、ＮＦＣ通信セッションＳ１を用いて機能選択情報が受信された後に、携帯端末１０を多機能装置５０から遠ざけた状態（即ち、通信セッションＳ１が切断された状態）で、設定項目を指定することができる。ユーザが、携帯端末１０を多機能装置５０に近づけた状態で、設定項目を指定する必要がある構成と比べると、ユーザは、設定項目を容易に指定することができる。
【００６９】
また、携帯端末１０は、携帯端末１０のＭＡＣアドレス「Ｍ１０」と、設定項目を示す項目データと、を多機能装置５０に送信する。このために、多機能装置５０は、「Ｍ１０」と項目データとを対応付けて、メモリ７４に記憶させることができる。従って、多機能装置５０は、ＮＦＣ通信セッションが切断されても、携帯端末１０から送信された項目データを適切に把握することができ、この結果、当該項目データが示す設定項目に従って、画像処理を適切に実行することができる。
【００７０】
（対応関係）
多機能装置５０が「画像処理装置」の一例である。ＮＦＣ通信セッションが「近距離無線通信の通信セッション」の一例である。機能選択情報、色数選択情報、第１の下位層選択情報、又は、第２の下位層選択情報が、「第１種の選択情報」の一例である。例えば、色数選択情報が「第１種の選択情報」の一例である場合には、「Ａｕｔｏ、Ｃｏｌｏｒ、Ｍｏｎｏ」が「複数個の第１種の設定項目」の一例である。この場合、図６で選択される「Ｃｏｌｏｒ」が「特定の第１種の設定項目」の一例である。また、ＮＦＣ通信セッションＳ２、Ｓ３が、それぞれ、「第１、第２の通信セッション」の一例である。
【００７１】
（第２実施例）
（携帯端末処理；図８）
本実施例では、図４の携帯端末処理に代えて、図８の携帯端末処理が実行される。制御部３０は、まず、図４のＳ１０〜Ｓ２４の処理を実行する。これにより、端末側受信部４０は、多機能装置５０から機能選択情報を受信する（図４のＳ１４）。さらに、選択部４４は、ＮＦＣ通信セッションが確立されたことをトリガとして、ユーザによって指定された設定項目（例えば「Ｃｏｐｙ」）を選択する（Ｓ２２）。さらに、端末側送信部４６は、Ｓ２２で選択された設定項目（例えば「Ｃｏｐｙ」）を示す項目データを、多機能装置５０に送信する（Ｓ２４）。そして、Ｓ１１０において、端末側受信部４０は、多機能装置５０から色数選択情報を受信する。
【００７２】
Ｓ１１１〜Ｓ１２０は、図４のＳ１５〜Ｓ２４と同様である。これにより、選択部４４は、ＮＦＣ通信セッションが確立されたことをトリガとして、ユーザによって指定された設定項目（例えば「Ｍｏｎｏ」）を選択する（Ｓ１１８）。さらに、端末側送信部４６は、Ｓ１１８で選択された設定項目（例えば「Ｍｏｎｏ」）を示す項目データを、多機能装置５０に送信する（Ｓ１２０）。
【００７３】
次いで、Ｓ１２２では、端末側受信部４０は、Ｓ１１６で確立された通信セッションを用いて、Ｓ１１８で選択された設定項目に対応する第１及び第２の下位層選択情報の両方を、多機能装置５０から受信する。
【００７４】
Ｓ１２３では、制御部３０は、携帯端末１０を鳴動させる。これにより、ユーザに受信（ここでは下位層の全ての選択情報の受信）が終了した旨が報知され、ユーザは、携帯端末１０を多機能装置５０から遠ざける。これにより、Ｓ１１６で確立されたＮＦＣ通信セッションが切断される。Ｓ１２４では、表示制御部４２は、Ｓ１２２で受信された第１及び第２の下位層選択情報のうちの第１の下位層選択情報を用いて選択画面を生成して、表示部１２に表示させる。
【００７５】
本実施例では、操作部１４は、決定ボタンを含む。ユーザは、第１の下位層選択情報に含まれる所望の設定項目が指定されている状態で、決定ボタンを操作することができる。この場合、選択部４４は、Ｓ１２８でＹＥＳと判断して、Ｓ１３０に進む。Ｓ１３０では、選択部４４が、Ｓ１２８で指定された設定項目が「Ｓｔａｒｔ」であるのか否かを判断する。設定項目が「Ｓｔａｒｔ」である場合（即ち、Ｓ１３０でＹＥＳの場合）には、Ｓ１３４に進み、設定項目が「Ｓｔａｒｔ」でない場合（即ち、Ｓ１３０でＮＯの場合）には、Ｓ１３２に進む。
【００７６】
Ｓ１３２では、選択部４４は、Ｓ１２８で指定された設定項目（例えば「Ｃｏｐｉｅｓ」）を選択する。即ち、選択部４４は、ユーザによって決定ボタンが操作されたことをトリガとして、設定項目を選択する。Ｓ１３２を終えると、Ｓ１２４に戻る。このＳ１２４では、表示制御部４２は、Ｓ１２２で受信された第１及び第２の下位層選択情報のうち、Ｓ１３２で選択された設定項目（例えば「Ｃｏｐｉｅｓ」）に対応する第２の下位層選択情報（例えば「１」、「２」等）を用いて選択画面を生成して、表示部１２に表示させる。これにより、ユーザは、第２の下位層選択情報に含まれる所望の設定項目が指定されている状態で、決定ボタンを操作することができる（Ｓ１２８でＹＥＳ）。この場合、Ｓ１３２において、選択部４４は、Ｓ１２８で指定された設定項目（例えば「３」）を選択して、Ｓ１２４に戻る。このＳ１２４では、第１の下位層選択情報に対応する選択画面が再び表示される。
【００７７】
一方において、Ｓ１３４では、端末側送信部４６は、ＮＦＣ通信セッションが確立されるまで待機する。ＮＦＣ通信セッションが確立されると（Ｓ１３４でＹＥＳ）、Ｓ１３６において、端末側送信部４６は、「Ｍ１０」と、Ｓ１３２で選択された全ての設定項目を示す設定データと、を多機能装置５０に送信する。上述したように、Ｓ１３２では、第１の下位層選択情報に含まれる設定項目（例えば「Ｃｏｐｉｅｓ」）と、第２の下位層選択情報に含まれる設定項目（例えば「３」）と、が選択され得る。この場合、Ｓ１３６において、端末側送信部４６は、第１の下位層選択情報に含まれる設定項目を示す項目データと、第２の下位層選択情報に含まれる設定項目を示す項目データと、の両方を、多機能装置５０に送信する。Ｓ１３６を終えると、携帯端末処理が終了する。
【００７８】
（多機能装置処理；図９）
本実施例では、図５の多機能装置処理に代えて、図９の多機能装置処理が実行される。Ｓ１４０〜Ｓ１４４は、図５のＳ４０〜Ｓ４４と同様である。Ｓ１４６では、装置側受信部８４は、機能選択情報に含まれる設定項目を示す項目データが受信されたのか否かを判断する。ここでＹＥＳの場合には、Ｓ１４８において、記憶制御部８８は、Ｓ１４６で受信された項目データをメモリ７４に記憶させる。次いで、Ｓ１５０において、装置側送信部８２は、色数選択情報を多機能装置５０に送信する。
【００７９】
Ｓ１５２では、装置側受信部８４は、色数選択情報に含まれる設定項目を示す項目データが受信されたのか否かを判断する。ここでＹＥＳの場合には、Ｓ１５４において、記憶制御部８８は、Ｓ１５２で受信された項目データをメモリ７４に記憶させる。次いで、Ｓ１５６において、装置側送信部８２は、Ｓ１４６及びＳ１５２で受信された各項目データが示す各設定項目（例えば「Ｃｏｐｙ」及び「Ｍｏｎｏ」）の下位層である第１及び第２の下位層選択情報を、多機能装置５０に送信する。
【００８０】
Ｓ１５８では、装置側受信部８４は、第１及び第２の下位層選択情報に含まれる設定項目を示す項目データが受信されたのか否かを判断する（図８のＳ１３６参照）。ここでＹＥＳの場合には、Ｓ１６０において、記憶制御部８８は、Ｓ１５８で受信された項目データをメモリ７４に記憶させる。次いで、図５のＳ５４と同様に、Ｓ１６２において、処理実行部８６は、画像処理を実行する。Ｓ１６２を終えると、多機能装置処理が終了する。
【００８１】
（第２実施例の具体例）
続いて、図１０を参照して、第２実施例の具体例を説明する。多機能装置５０が色数選択情報に含まれる設定項目を示す項目データを記憶する段階までは、図６と同様である。図１０に示されるように、多機能装置５０は、ＮＦＣ通信セッションＳ３を用いて、第１及び第２の下位層選択を携帯端末１０に送信する（図９のＳ１５６）。その後、ＮＦＣ通信セッションＳ３が切断される。
【００８２】
携帯端末１０は、「Ｃｏｐｙ」及び「Ｍｏｎｏ」に対応する第１の下位層選択情報に含まれる複数個の設定項目（「Ｌａｙｏｕｔ」等）を含む選択画面を、表示部１２に表示させる（図８のＳ１２４）。例えば、「Ｃｏｐｉｅｓ」が指定された状態で、ユーザは、操作部１４の決定ボタンを操作する（図８のＳ１２８でＹＥＳ）。この場合、携帯端末１０は、「Ｃｏｐｉｅｓ」に対応する第２の下位層選択情報に含まれる複数個の設定項目（「１」、「２」等）を含む選択画面を、表示部１２に表示させる（図８のＳ１２４）。
【００８３】
例えば、「３」が指定された状態で、ユーザは、操作部１４の決定ボタンを操作する（図８のＳ１２８でＹＥＳ）。この場合、携帯端末１０は、第１の下位層選択情報に含まれる複数個の設定項目（「Ｌａｙｏｕｔ」等）を含む選択画面を、表示部１２に再び表示させる（図８のＳ１２４）。ただし、当該選択画面では、部数「３」が表示される。
【００８４】
例えば、「Ｓｔａｒｔ」が指定された状態で、ユーザは、操作部１４の決定ボタンを操作する（図８のＳ１２８でＹＥＳ、Ｓ１３０でＹＥＳ）。その後、ユーザが携帯端末１０を多機能装置５０に近づけると、ＮＦＣ通信セッションＳ７が確立される（図８のＳ１３４でＹＥＳ、図９のＳ１４０でＹＥＳ）。携帯端末１０は、ＮＦＣ通信セッションＳ７を用いて、「Ｍ１０」と、「Ｃｏｐｉｅｓ」を示す項目データと、「３」を示す項目データと、を多機能装置５０に送信する（図８のＳ１３６）。この場合、多機能装置５０は、メモリ７４内の「Ｍ１０」に対応付けられている全ての項目データ（即ち、「Ｃｏｐｙ」、「Ｍｏｎｏ」）と、ＮＦＣ通信セッションＳ７を用いて受信された項目データ（即ち、「Ｃｏｐｉｅｓ」、「３」）に従って（それ以外はデフォルトの設定項目に従って）、画像処理を実行する（図９のＳ１６２）。
【００８５】
（本実施例の効果）
図１０に示されるように、多機能装置５０は、ＮＦＣ通信セッションＳ３を用いて、下位層の全ての選択情報（即ち第１及び第２の下位層選択情報）を、携帯端末１０に送信する。ユーザは、携帯端末１０の決定ボタンを用いて、第１の下位層選択情報に含まれる複数個の設定項目から１個の設定項目を指定し、第２の下位層選択情報に含まれる複数個の設定項目から特定の設定項目を指定することができる。本実施例によると、ユーザが携帯端末１０を多機能装置５０に近づける動作を実行する回数を低減させることができる。
【００８６】
（対応関係）
第１の下位層選択情報、第２の下位層選択情報が、それぞれ、「第１種の選択情報」、「第２種の選択情報」の一例である。従って、「Ｃｏｐｉｅｓ、Ｌａｙｏｕｔ、Ｑｕａｌｉｔｙ」が、「複数個の第１種の設定項目」の一例である。また、例えば、部数に対応する「１、２」等が、「複数個の第２種の設定項目」の一例である。また、ＮＦＣ通信セッションＳ３、Ｓ７が、それぞれ、「第１の通信セッション」、「第２の通信セッション」の一例である。
【００８７】
（第３実施例）
（携帯端末処理；図１１）
本実施例では、図４の携帯端末処理に代えて、図１１の携帯端末処理が実行される。Ｓ２１０は、図４のＳ１０と同様である。Ｓ２１２では、端末側送信部４６は、全ての選択情報（即ち、機能選択情報、色数選択情報、第１の下位層選択情報、及び、第２の下位層選択情報）を要求するための情報を多機能装置５０に送信する。この結果、Ｓ２１４では、端末側受信部４０は、多機能装置５０から全ての選択情報を受信する。Ｓ２１５では、制御部３０は、携帯端末１０を鳴動させる。これにより、ユーザに受信（ここでは全ての選択情報の受信）が終了した旨が報知され、ユーザは、携帯端末１０を多機能装置５０から遠ざける。これにより、Ｓ２１０で確立されたＮＦＣ通信セッションが切断される。
【００８８】
Ｓ２１６〜Ｓ２２６は、図８のＳ１２４〜Ｓ１３４と同様である。ただし、Ｓ２１６〜Ｓ２２６は、Ｓ２１４で受信された全ての選択情報に従って実行される。即ち、表示制御部４２は、機能選択情報に従って選択画面を表示させ（Ｓ２１６）、機能が指定されると（Ｓ２２０でＹＥＳ）、選択部４４は、当該機能を選択する（Ｓ２２４）。次いで、表示制御部４２は、色数選択情報に従って選択画面を表示させ（Ｓ２１６）、色数が指定されると（Ｓ２２０でＹＥＳ）、選択部４４は、当該色数を選択する（Ｓ２２４）。次いで、表示制御部４２は、第１の下位層選択情報に従って選択画面を表示させる（Ｓ２１６）。当該選択画面が選択された以降の処理は、第２実施例と同様である。
【００８９】
Ｓ２２８では、端末側送信部４６は、Ｓ２２４で選択された全ての設定項目を示す全ての設定データを多機能装置５０に送信する。Ｓ２２８を終えると、携帯端末処理が終了する。
【００９０】
（多機能装置処理；図１２）
本実施例では、図５の多機能装置処理に代えて、図１２の多機能装置処理が実行される。Ｓ２４０は、図５のＳ４０と同様である。Ｓ２４２では、装置側受信部８４は、携帯端末１０から、全ての選択情報を要求するための情報を受信したのか否かを判断する（図１１のＳ２１２参照）。装置側受信部８４は、当該情報を受信した場合には、Ｓ２４２でＹＥＳと判断して、Ｓ２４４に進み、当該情報を受信しなかった場合には、Ｓ２４２でＮＯと判断して、Ｓ２４６に進む。
【００９１】
Ｓ２４４では、装置側送信部８２は、全ての選択情報を携帯端末１０に送信して、Ｓ２４０に戻る。なお、フローチャートには示していないが、Ｓ２４４で全ての選択情報が送信されると、Ｓ２４０で確立されたＮＦＣ通信セッションが切断される。
【００９２】
Ｓ２４６では、装置側受信部８４は、携帯端末１０から、全ての項目データを受信したのか否かを判断する（図１１のＳ２２８参照）。装置側受信部８４は、全ての項目データを受信した場合には、Ｓ２４６でＹＥＳと判断して、Ｓ２４８に進み、全ての項目データを受信しなかった場合には、Ｓ２４６でＮＯと判断して、Ｓ２４２に進む。Ｓ２４８では、図５のＳ５４と同様に、処理実行部８６は、Ｓ２４６で受信された全ての項目データに従って、画像処理を実行する。Ｓ２４８を終えると、多機能装置処理が終了する。
【００９３】
（第３実施例の具体例）
続いて、図１３を参照して、第３実施例の具体例を説明する。ユーザが携帯端末１０を多機能装置５０に近づけることによって、ＮＦＣ通信セッションＳ８が確立される。この場合、多機能装置５０は、ＮＦＣ通信セッションＳ８を用いて、全ての選択情報を送信する（図１２のＳ２４４）。これにより、携帯端末１０は、ＮＦＣ通信セッションＳ８を用いて、全ての選択情報を受信する（図１１のＳ２１４）。その後、ＮＦＣ通信セッションＳ８が切断される。
【００９４】
携帯端末１０は、各選択情報に従って各選択画面を順次生成して、表示部１２に各選択画面を順次表示させ（図１１のＳ２１６）、各設定項目を順次選択する（図１１のＳ２２４）。例えば、「Ｓｔａｒｔ」が指定された状態で、ユーザは、操作部１４の決定ボタンを操作する（図１１のＳ２２０でＹＥＳ、Ｓ２２２でＹＥＳ）。その後、ユーザが携帯端末１０を多機能装置５０に近づけると、ＮＦＣ通信セッションＳ９が確立される（図１１のＳ２２６でＹＥＳ、図１２のＳ２４０でＹＥＳ）。携帯端末１０は、ＮＦＣ通信セッションＳ９を用いて、選択済みの全ての設定項目を示す全ての項目データを、多機能装置５０に送信する（図１１のＳ２２８）。これにより、多機能装置５０は、ＮＦＣ通信セッションＳ９を用いて、携帯端末１０から全ての項目データを受信する（図１２のＳ２４６でＹＥＳ）。この場合、多機能装置５０は、携帯端末１０から受信された全ての項目データに従って（それ以外はデフォルトの設定項目に従って）、画像処理を実行する（図１２のＳ２４８）。
【００９５】
（本実施例の効果）
図１３に示されるように、多機能装置５０は、ＮＦＣ通信セッションＳ８を用いて、全ての選択情報を携帯端末１０に送信する。ユーザは、携帯端末１０の決定ボタンを用いて、各設定項目を順次指定することができる。本実施例によると、ユーザが携帯端末１０を多機能装置５０に近づける動作を実行する回数を低減させることができる。
【００９６】
（対応関係）
機能選択情報、色数選択情報が、それぞれ、「第１種の選択情報」、「第２種の選択情報」の一例である。また、ＮＦＣ通信セッションＳ８、Ｓ９が、それぞれ、「第１の通信セッション」、「第２の通信セッション」の一例である。
【００９７】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００９８】
（変形例１）
「画像処理装置」は、多機能装置に限られず、画像処理を実行可能な他の機器（例えば、プリンタ、ＦＡＸ装置、コピー機、スキャナ等）であってもよい。「携帯端末」は、可搬型のデバイス（持ち運び可能なデバイス）であれば、どのようなデバイスであってもよく、例えば、携帯電話、スマートフォン、ＰＤＡ、携帯型ＰＣ、タブレットＰＣ等であってもよい。
【００９９】
（変形例２）
上記の各実施例では、携帯端末１０は、姿勢センサ１８（ジャイロセンサ）を備えており、ユーザが携帯端末１０を傾ける際の携帯端末１０の傾きを検出して、設定項目を選択する。これに代えて、携帯端末１０は、例えば加速度センサを備えており、ユーザが携帯端末１０を振る際の加速度を検出して、設定項目を選択してもよい。即ち、一般的に言うと、「第１の動作」は、携帯端末１０を傾ける動作、携帯端末１０を振る動作等の携帯端末１０の全体を移動させる動作であればよい。
【０１００】
（変形例３）
携帯端末１０の全体を移動させる「第１の動作」は、複数の動作の組み合わせであってもよい。例えば、携帯端末１０が縦向きである場合には、「Ｐｏｒｔｒａｉｔ」が指定され、携帯端末１０が横向きである場合には、「Ｌａｎｄｓｃａｐｅ」が指定され、さらに、携帯端末１０を振った回数が０回の場合には、「１ｉｎ１」が指定され、携帯端末１０を振った回数が１回の場合には、「２ｉｎ１」が指定されるというように、傾ける動作と振る動作との組み合わせが「第１の動作」であってもよい。
【０１０１】
（変形例４）
上記の各実施例では、携帯端末１０と多機能装置５０とは、ＮＦＣ通信を実行する。ＮＦＣ通信に代えて、Ｔｒａｎｓｆｅｒ  Ｊｅｔ、無線ＬＡＮ、赤外線通信、Ｂｌｕｅｔｏｏｔｈ等の通信が用いられてもよい。本変形例では、Ｔｒａｎｓｆｅｒ  Ｊｅｔ、無線ＬＡＮ、赤外線通信、Ｂｌｕｅｔｏｏｔｈ等が「無線通信」の一例である。
【０１０２】
（変形例５）
上記の各実施例では、表示制御部４２は、１個の選択情報（例えば機能選択情報）に含まれる複数の選択肢の全てを同時に表示するが、これに代えて、複数の選択肢のうちの１つのみ又は一部を表示してもよい。例えば、表示制御部４２は、携帯端末１０が縦向き（左右４５度以内の傾き）である場合には、「Ｐｒｉｎｔ」のみを表示させ、左４５度〜１８０度に傾けた場合には、「Ｃｏｐｙ」のみを表示させ、右４５度〜１８０度に傾けた場合には、「Ｓｃａｎ」のみを表示させてもよい。また、表示制御部４２は、「Ｃｏｐｉｅｓ」の部数「１〜１０」の全てを表示させなくてもよく、例えば、携帯端末１０が左側に傾いている場合には、「１〜３」を表示させ、右に傾けていくのに応じて、「２〜４」、「３〜５」・・・を順次表示させるというように、選択肢の一部を表示させてもよい。
【０１０３】
（変形例６）上記の各実施例では、各部４０〜４８，８０〜８８がソフトウェアによって実現されるが、各部４０〜４８，８０〜８８のうちの少なくとも１つが論理回路等のハードウェアによって実現されてもよい。
【０１０４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０５】
１０：携帯端末、５０：多機能装置、Ｓ１〜Ｓ９：ＮＦＣ通信セッション
【図１】
0005834726.tif 000002
【図２】
0005834726.tif 000003
【図３】
0005834726.tif 000004
【図４】
0005834726.tif 000005
【図５】
0005834726.tif 000006
【図６】
0005834726.tif 000007
【図７】
0005834726.tif 000008
【図８】
0005834726.tif 000009
【図９】
0005834726.tif 000010
【図１０】
0005834726.tif 000011
【図１１】
0005834726.tif 000012
【図１２】
0005834726.tif 000013
【図１３】
0005834726.tif 000014